(57)【要約】【課題】リクライニング装置のヒンジピンと連結ロッドとの相対的な回転位置を中立に保つセンタリング用のキャップ部材が、溶接熱などの影響を受けるのを解消する。【解決手段】ヒンジピン１６が筒形の連結ロッド２６内に挿入され、かつ、ヒンジピンと連結ロッドとの相対的な回転位置が中立に保たれたセンタリング状態で連結されるリクライニング装置であって、ヒンジピン１６と連結ロッド２６とは、回転伝達可能な多角形状に設定されている。連結ロッドの端部外周に筒形状をしたセンタリング用のキャップ部材３０が圧入される。キャップ部材３０はヒンジピン１６が通る挿通口３２を有する。キャップ部材３０は連結ロッド２６外周の多角形状の平面を基準として連結ロッドに対する回転位置が決められ、ヒンジピン１６は挿通口３２によって連結ロッド２６に対する回転位置が決められる。【選択図】図３
2008136552.tif 000002
【特許請求の範囲】
【請求項１】
ヒンジピンが筒形状をした連結ロッドの端部から内部に挿入され、かつ、ヒンジピンと連結ロッドとの相対的な回転位置が中立に保たれたセンタリング状態で連結されるリクライニング装置であって、
ヒンジピンと連結ロッドとは、この連結ロッドの内部に対するヒンジピンの挿入によって相互間での回転伝達を可能とする多角形状に設定されているとともに、連結ロッドにおける端部の外周に筒形状をしたセンタリング用のキャップ部材が圧入され、このキャップ部材には連結ロッドの内部に挿入されるヒンジピンが通る挿通口が設けられ、キャップ部材は連結ロッドの外周における多角形状の平面を基準として連結ロッドに対する回転位置が決められ、ヒンジピンはキャップ部材の挿通口によって連結ロッドに対する回転位置が決められているリクライニング装置。
【請求項２】
請求項１に記載されたリクライニング装置であって、
センタリング用のキャップ部材は樹脂製であるとともに、このキャップ部材が連結ロッドの外周に圧入されるときの先行する側の端部に外方へ突出したフランジを備え、他方の端部にヒンジピンが通る挿通口を備えているリクライニング装置。
【請求項３】
請求項１又は２に記載されたリクライニング装置であって、
キャップ部材の挿通口が、そこを通るヒンジピンの外形状に対応させた多角形状に設定されているリクライニング装置。
【発明の詳細な説明】
【技術分野】
【０００１】
本発明は、主として車両用シートのリクライニング装置に関し、詳しくはヒンジピンと連結ロッドとが互いの相対的な回転位置を中立に保ったセンタリング状態で連結される構成を備えたリクライニング装置に関する。
【背景技術】
【０００２】
一般に、車両用シートの両サイドに配置されるリクライニング装置は、個々のヒンジピン同士を筒形状の連結ロッドで連結することにより、相互の操作を同期させている。この場合に、一方のリクライニング装置のヒンジピンと連結ロッドとは溶接などで固定され、他方のリクライニング装置のヒンジピンと連結ロッドとは嵌め合いによって連結されている。
【０００３】
ヒンジピンと連結ロッドとの嵌め合いによる連結構造については、例えば特許文献１に開示された技術が公知である。この特許文献１からも明らかなように、ヒンジピンは角筒形状の連結ロッドに対し、その端部から内部に挿入されて相互間での回転伝達が可能に連結されている。そして、ヒンジピンの端部外周にはセンタリングゴムが固定されている。すなわち、連結ロッドの内部に挿入された状態でのセンタリングゴムの弾性により、ヒンジピンと連結ロッドとの相対的な回転位置を中立に保っている。
【特許文献１】特開２００２−３６０３６８号公報
【発明の開示】
【発明が解決しようとする課題】
【０００４】
ヒンジピンに固定されるセンタリングゴムは、その外径が小さく、かつ、ゴムであることから、ヒンジピンに組み付けるときに簡単に回ってしまい、組み付け精度を出しにくい。このため、センタリングゴムはヒンジピンに対して予め加硫接着によって固定されている。そこで、リクライニング装置の組み付け工程において、センタリングゴムの近くに溶接箇所がある場合、溶接熱によってセンタリングゴムが変形する等の不具合が生じる。
【０００５】
本発明は、このような課題を解決しようとするもので、その目的は、ヒンジピンと連結ロッドとの相対的な回転位置を中立に保つセンタリング用のキャップ部材が、溶接熱などの影響を受けるといった不具合を解消することである。
【課題を解決するための手段】
【０００６】
本発明は、上記の目的を達成するためのもので、以下のように構成されている。
第１の発明は、ヒンジピンが筒形状をした連結ロッドの端部から内部に挿入され、かつ、ヒンジピンと連結ロッドとの相対的な回転位置が中立に保たれたセンタリング状態で連結されるリクライニング装置であって、ヒンジピンと連結ロッドとは、この連結ロッドの内部に対するヒンジピンの挿入によって相互間での回転伝達を可能とする多角形状に設定されている。また、連結ロッドにおける端部の外周に筒形状をしたセンタリング用のキャップ部材が圧入されている。このキャップ部材には連結ロッドの内部に挿入されるヒンジピンが通る挿通口が設けられている。キャップ部材は連結ロッドの外周における多角形状の平面を基準として連結ロッドに対する回転位置が決められ、ヒンジピンはキャップ部材の挿通口によって連結ロッドに対する回転位置が決められている。
【０００７】
このようにセンタリング用のキャップ部材は、連結ロッドの外周における平面を基準として回転位置が決められるので、手作業による圧入によってもキャップ部材を連結ロッドの外周に対して正確に組み付けることができる。したがって、シートの組み付け工程においてキャップ部材を組み付けるタイミングの自由度が増し、例えばキャップ部材の近くに溶接箇所がある場合は、溶接の後からキャップ部材を組み付けてキャップ部材が溶接熱の影響を受けないようにすることが可能となる。
【０００８】
第２の発明は、第１の発明において、センタリング用のキャップ部材は樹脂製であるとともに、このキャップ部材が連結ロッドの外周に圧入されるときの先行する側の端部に外方へ突出したフランジを備え、他方の端部にヒンジピンが通る挿通口を備えている。
【０００９】
このようにキャップ部材が樹脂製であって、ゴム製などと比較して形状が安定しており、かつ、キャップ部材の一端部に外方へ突出したフランジがあることから、連結ロッドの外周に対するキャップ部材の圧入作業が容易であるとともに、フランジを有する端部の剛性を確保することができる。
【００１０】
第３の発明は、第１又は２の発明において、キャップ部材の挿通口が、そこを通るヒンジピンの外形状に対応させた多角形状に設定されている。
これにより、連結状態におけるヒンジピンと連結ロッドとが、半径方向の芯出しのみならず、相互の回転位置を中立に保った良好なセンタリング状態に維持される。
【発明を実施するための最良の形態】
【００１１】
以下、本発明を実施するための最良の形態を、図面を用いて説明する。
図１は、車両用シートのフレーム構造を表した斜視図である。この図面において、シートクッションの骨格をなすクッションフレーム１０と、シートバックの骨格をなすバックフレーム１２とは、シートの両サイドに配置されたリクライニング装置１４，２０によって結合されている。そして、両リクライニング装置１４，２０におけるロックおよびアンロックのための作動を同期させるために、個々のヒンジピン１６，２２が連結ロッド２６によって互いに連結されている。なお、両リクライニング装置１４，２０をアンロック状態に操作することにより、個々のヒンジピン１６，２２を支点としてバックフレーム１２を前後方向へ回転動作させることができる。これにより、シートバックの傾き角を調整し、あるいはシートバックを前方へ倒し込むことができる。
【００１２】
シートのインナーサイド（図１の右側）に位置するリクライニング装置２０のヒンジピン２２と連結ロッド２６とは、例えば溶接によって相互に固定されている。これに対し、シートのアウターサイド（図１の左側）に位置するリクライニング装置１４のヒンジピン１６と連結ロッド２６とは、回転伝達可能な嵌め合いによって相互に連結されている。そこで、アウターサイドに位置するリクライニング装置１４のヒンジピン１６と連結ロッド２６との連結構造について説明する。
【００１３】
図２は、リクライニング装置１４のヒンジピン１６と連結ロッド２６との連結構造を表した斜視図である。図３は、図２の連結構造を分解して表した斜視図である。図４は、図２の連結構造を表した正面図である。図５は、図４のA-A矢視方向の拡大断面図である。図６は、図４のB-B矢視方向の拡大断面図である。図７は、図４のC-C矢視方向の拡大断面図である。
【００１４】
これらの図面から明らかなようにリクライニング装置１４のヒンジピン１６は、一方の端部に形成された挿入部１８と、他方の端部に形成された操作部１９とを有する。また、連結ロッド２６において、ヒンジピン１６と対応する側の端部は角筒形状の受入部２８となっている。つまり、連結ロッド２６の受入部２８は、その内外周共に矩形状となっている。そして、ヒンジピン１６の挿入部１８は、連結ロッド２６における受入部２８の内周形状に対応した矩形の断面形状に設定され、この受入部２８に対して端部の開口から内部に挿入される。なお、挿入部１８の先端は、受入部２８への挿入を容易にするためにテーパー形状となっている。
【００１５】
ヒンジピン１６には、挿入部１８の近くの軸上においてブラケット２４が溶接によって固定されている。このブラケット２４は、例えばシート後方からのスイッチ操作による電動力で両リクライニング装置１４，２０をアンロック状態に操作可能な仕様の車両において、個々のヒンジピン１６，２２にモータの作動力を伝えるための部材である。また、ヒンジピン１６の操作部１９には、手動によって両リクライニング装置１４，２０をアンロック状態に操作するための操作レバーやノブが取り付けられる。
【００１６】
ヒンジピン１６の挿入部１８が連結ロッド２６の受入部２８に挿入されて回転伝達可能に連結された状態において、挿入部１８の外周面と受入部２８の内周面との間には、回転方向に関して微小な隙間（ガタ）が設定されている。この隙間により、シートを組み付けた状態での両リクライニング装置１４，２０におけるヒンジピン１６，２２の回転方向の位置ずれを吸収する。この場合、挿入部１８と受入部２８との間の隙間がいずれか一方に偏っていたのでは、他方への位置ずれを吸収できない。このため、シートを組み付けるまでは、リクライニング装置１４のヒンジピン１６と連結ロッド２６との半径方向の芯出しは勿論のこと、互いの相対的な回転位置を中立に保ったセンタリング状態に管理する必要がある。
【００１７】
そこで、ヒンジピン１６と連結ロッド２６とをセンタリング状態に保つためのキャップ部材３０が使用される。このキャップ部材３０は、連結ロッド２６における受入部２８の形状に対応させた矩形の角筒形状をしているとともに、樹脂材による一体成形品であって適度な剛性と弾性とを有する。そして、キャップ部材３０の内周寸法は、受入部２８の外周寸法よりも僅かに小さく設定され、受入部２８の外周に圧入される（図６）。これにより、連結ロッド２６に対するキャップ部材３０の芯出し及び回転方向の位置決めが行われる。
【００１８】
キャップ部材３０は、受入部２８の外周に圧入された状態での受入部２８の端面側において矩形状の挿通口３２を備えている。この挿通口３２に対しては、ヒンジピン１６の挿入部１８を連結ロッド２６の受入部２８内に挿入するときに、該挿入部１８が挿通する。また、この挿通口３２の寸法は、受入部２８の内周寸法よりも僅かに小さく設定されている。したがって、ヒンジピン１６の挿入部１８は、キャップ部材３０の挿通口３２を圧入状態で通ることとなり（図７）、このキャップ部材３０を通じて連結ロッド２６に対するヒンジピン１６の半径方向の芯出し及び回転方向の位置決めが行われる。なお、この機能をキャップ部材３０にもたせるには、その内周と挿通口３２との軸心ならびに回転位置を一致させることが必要であるが、樹脂成形によるキャップ部材３０では容易に精度を確保することができる。
【００１９】
キャップ部材３０において、該キャップ部材３０が連結ロッド２６の受入部２８に圧入されるときの先行する側の端部、つまり挿通口３２とは反対側の端部の外周には外方へ突出したフランジ３４が設けられている。このフランジ３４があることにより、キャップ部材３０を受入部２８の外周に圧入する作業が容易であるとともに、挿通口３２とは反対側の端部の剛性が確保される。
【００２０】
このように、連結ロッド２６の受入部２８にキャップ部材３０を圧入した後、ヒンジピン１６の挿入部１８をキャップ部材３０の挿通口３２から受入部２８の内部に挿入することで、ヒンジピン１６と連結ロッド２６とが芯出しされ、かつ、相互の回転位置を中立に保ったセンタリング状態で連結される。そして、キャップ部材３０は連結ロッド２６の受入部２８に対し、矩形状の平面を基準として回転位置を決めながら圧入すればよいので、手作業によってもキャップ部材３０を正確に組み付けることができる。
【００２１】
したがって、これまでのセンタリングゴムのように予め加硫接着によって固定しておく場合と異なり、シートの組み付け工程でのキャップ部材３０を組み付けるタイミングの自由度が増す。これにより、ヒンジピン１６の軸上にブラケット２４が溶接される仕様においても、この溶接による熱影響をキャップ部材３０が受けることは解消できる。また、樹脂成形によるキャップ部材３０は、センタリングゴムをヒンジピンに加硫接着するときのヒンジピンの脱脂、接着剤の塗布といった作業が不要であり、かつ、ゴムと比べて成形時間も短い。さらに型内にヒンジピンを入れてゴムを一体に成形するセンタリングゴムの加硫接着と比べ、キャップ部材３０は単体成形であることから、その成形型が小型で済む。
【００２２】
なお、本実施の形態において、ヒンジピン１６の挿入部１８、連結ロッド２６の受入部２８、キャップ部材３０およびその挿通口３２の形状は矩形（四角形）に限るものではない。ただし、連結状態におけるヒンジピン１６と連結ロッド２６との半径方向の芯出しのみならず、相互の回転位置を中立に保つには、六角形または八角形といった多角形状に設定する必要がある。
【図面の簡単な説明】
【００２３】
【図１】車両用シートのフレーム構造を表した斜視図
【図２】リクライニング装置のヒンジピンと連結ロッドとの連結構造を表した斜視図
【図３】図２の連結構造を分解して表した斜視図
【図４】図２の連結構造を表した正面図
【図５】図４のA-A矢視方向の拡大断面図
【図６】図４のB-B矢視方向の拡大断面図
【図７】図４のC-C矢視方向の拡大断面図
【符号の説明】
【００２４】
１４ リクライニング装置
１６ ヒンジピン
２６ 連結ロッド
３０ キャップ部材
３２ 挿通口
【図１】
2008136552.tif 000003
【図２】
2008136552.tif 000004
【図３】
2008136552.tif 000005
【図４】
2008136552.tif 000006
【図５】
2008136552.tif 000007
【図６】
2008136552.tif 000008
【図７】
2008136552.tif 000009